【手続補正書】
【提出日】平成28年4月6日(2016.4.6)
【手続補正１】
【補正対象書類名】明細書
【補正対象項目名】０００７
【補正方法】変更
【補正の内容】
【０００７】
前記課題を解決するために、本発明のネイルプリント装置は、
爪に印刷を施す印刷ヘッドと、
ネイルデザインの印刷が施された既印刷領域を有する前記爪における、前記ネイルデザインの印刷が施された後に前記爪が伸びたことによって生じた、前記ネイルデザインの印刷が施されていない未印刷領域を検出する未印刷領域検出部と、
前記未印刷領域に印刷を施すよう前記印刷ヘッドを制御する印刷制御部と、
を備えていることを特徴としている。
【手続補正２】
【補正対象書類名】明細書
【補正対象項目名】０００８
【補正方法】変更
【補正の内容】
【０００８】
また、本発明のネイルプリント装置の印刷方法は、
ネイルデザインの印刷が施された既印刷領域を有する爪における、前記ネイルデザインの印刷が施された後に前記爪が伸びたことによって生じた、前記ネイルデザインの印刷が施されていない未印刷領域を検出し、
前記未印刷領域に印刷を施すことを特徴としている。
【手続補正３】
【補正対象書類名】特許請求の範囲
【補正対象項目名】全文
【補正方法】変更
【補正の内容】
【特許請求の範囲】
【請求項１】
爪に印刷を施す印刷ヘッドと、
ネイルデザインの印刷が施された既印刷領域を有する前記爪における、前記ネイルデザインの印刷が施された後に前記爪が伸びたことによって生じた、前記ネイルデザインの印刷が施されていない未印刷領域を検出する未印刷領域検出部と、
前記未印刷領域に印刷を施すよう前記印刷ヘッドを制御する印刷制御部と、
を備えていることを特徴とするネイルプリント装置。
【請求項２】
前記未印刷領域検出部は、前記爪の生え際側の前記ネイルデザインが施されていない領域を前記未印刷領域として検出することを特徴とする請求項１に記載のネイルプリント装置。
【請求項３】
前記爪の前記既印刷領域に用いられている色の情報を色情報として取得する既印刷領域情報取得部と、前記未印刷領域に印刷する印刷色を選択する印刷色選択部と、を有し、
前記印刷色選択部は、前記既印刷領域情報取得部によって取得された前記色情報に基づいて、前記印刷色を選択することを特徴とする請求項１又は請求項２に記載のネイルプリント装置。
【請求項４】
前記爪の輪郭を第１輪郭として検出する爪輪郭検出部を有し、
前記既印刷領域情報取得部は、前記既印刷領域の輪郭を第２輪郭として検出し、
前記未印刷領域検出部は、前記第１輪郭によって画される領域から、前記第２輪郭で画される領域を除いた領域を、前記未印刷領域として検出することを特徴とする請求項３に記載のネイルプリント装置。
【請求項５】
複数の候補色を優先順位に応じて表示する表示部と、前記表示部に表示された前記複数の候補色の何れかを前記印刷色とするように入力指示をする操作部と、を有し、
前記既印刷領域情報取得部は、前記ネイルデザインが複数の色を有しているとき、前記色情報として、前記既印刷領域に用いられている前記複数の色を取得し、
前記印刷色選択部は、前記既印刷領域情報取得部が取得した前記複数の色を前記複数の候補色として取得し、取得した前記複数の候補色の各々に対して、前記既印刷領域の色との馴染み易さの順位に対応した優先順位を付し、
前記印刷色選択部は、前記複数の候補色のうちの、前記操作部により前記印刷色とするように入力された特定の候補色を、前記印刷色に選択することを特徴とする請求項３又は請求項４に記載のネイルプリント装置。
【請求項６】
前記印刷色選択部は、前記複数の候補色の各々を前記優先順位に応じて表示色に設定して、前記未印刷領域を前記表示色とした表示用爪画像を生成し、
前記表示部は前記表示用爪画像を表示することを特徴とする請求項５に記載のネイルプリント装置。
【請求項７】
前記既印刷領域情報取得部は、前記色情報として、前記既印刷領域において前記複数の色の各々が用いられている領域の面積を取得し、
前記印刷色選択部は、前記既印刷領域情報取得部によって取得された前記各色が用いられている前記面積に基づいて、前記複数の色の各々の前記優先順位を設定することを特徴とする請求項５又は請求項６に記載のネイルプリント装置。
【請求項８】
前記既印刷領域情報取得部は、前記色情報として、前記未印刷領域と前記既印刷領域との境界上において最も多く用いられている第１の色と、前記未印刷領域に近接する領域において最も多く用いられている第２の色と、前記既印刷領域において最も広い面積で使用されている第３の色と、を取得し、
前記印刷色選択部は、前記第１の色の前記優先順位を第１の値とし、前記第２の色の前記優先順位を、前記第１の値より低い第２の値とし、前記第３の色の前記優先順位を前記第２の値より低い第３の値とすることを特徴とする請求項５又は請求項６に記載のネイルプリント装置。
【請求項９】
ネイルデザインの印刷が施された既印刷領域を有する爪における、前記ネイルデザインの印刷が施された後に前記爪が伸びたことによって生じた、前記ネイルデザインの印刷が施されていない未印刷領域を検出し、
前記未印刷領域に印刷を施すことを特徴とするネイルプリント装置の印刷方法。
【請求項１０】
前記爪の前記既印刷領域に用いられている色の情報を色情報として取得するステップと、
前記未印刷領域に印刷する印刷色を選択するステップと、
を含み、
前記印刷色を選択するステップは、取得された前記色情報に基づいて、前記印刷色を選択することを特徴とする請求項９に記載のネイルプリント装置の印刷方法。
【請求項１１】
前記爪の輪郭を第１輪郭として検出するステップを含み、
前記色情報を取得するステップは、前記既印刷領域の輪郭を第２輪郭として検出するステップを含み、
前記未印刷領域を検出するステップは、前記第１輪郭によって画される領域から、前記第２輪郭で画される領域を除いた領域を、前記未印刷領域として検出することを特徴とする請求項１０に記載のネイルプリント装置の印刷方法。
【請求項１２】
前記色情報を取得するステップは、前記ネイルデザインが複数の色を有しているとき、前記色情報として、前記既印刷領域に用いられている前記複数の色を取得し、
前記印刷色を選択するステップは、
前記色情報を取得するステップにおいて取得された前記複数の色を複数の候補色として取得し、取得した前記複数の候補色の各々に対して、前記既印刷領域の色との馴染み易さの順位に対応した優先順位を付し、
前記複数の候補色を前記優先順位に応じて表示部に表示し、
前記表示部に表示した前記複数の候補色のうちの、前記印刷色とするように入力支持された特定の候補色を、前記印刷色に選択することを特徴とする請求項１０又は請求項１１に記載のネイルプリント装置の印刷方法。
【請求項１３】
前記印刷色を選択するステップは、
前記複数の候補色の各々を前記優先順位に応じて表示色に設定して、前記未印刷領域を前記表示色とした表示用爪画像を生成し、
前記表示用爪画像を前記表示部に表示することを特徴とする請求項１２に記載のネイルプリント装置の印刷方法。
【請求項１４】
前記色情報を取得するステップは、前記色情報として、前記既印刷領域において前記複数の色の各々が用いられている領域の面積を取得するステップを含み、
前記印刷色を選択するステップは、取得した前記複数の色の各々の前記優先順位を、前記面積が大きいほど高い順位に設定することを特徴とする請求項１２又は請求項１３に記載のネイルプリント装置の印刷方法。
【請求項１５】
前記色情報を取得するステップは、前記色情報として、前記未印刷領域と前記既印刷領域との境界上において最も多く用いられている第１の色と、前記未印刷領域に近接する領域において最も多く用いられている第２の色と、前記既印刷領域において最も広い面積で使用されている第３の色と、を取得するステップを含み、
前記印刷色を選択するステップは、前記第１の色の前記優先順位を第１の値とし、前記第２の色の前記優先順位を、前記第１の値より低い第２の値とし、前記第３の色の前記優先順位を前記第２の値より低い第３の値とすることを特徴とする請求項１２又は請求項１３に記載のネイルプリント装置の印刷方法。